(57)【要約】【課題】水平姿勢に落とし込まれて使用されるテーブルの使用状態を安定させられるようにする。【解決手段】テーブル本体１１を支持台に対して動かせる状態に連結するテーブル移動装置１０Ｍは、テーブル本体１１を支持台に連結された支持アーム１２に対して、所定の退避角度まで起こし上げた退避位置と、物載せとして使用可能な水平角度まで落とし込んだ使用位置と、の間で起倒回転させられる状態に連結し、テーブル本体１１と支持アーム１２との間にテーブル本体１１の起倒回転する動きに追従して動く従動部材１４を有する。従動部材１４は、テーブル本体１１に回転可能に連結され、支持アーム１２にスライド可能に連結され、テーブル本体１１が使用位置に到達することにより支持アーム１２に形成された張出し部１２Ａ４に引掛けられてテーブル本体１１の退避位置に向けての回転移動を従動部材１４の解除可能な支えによって規制した状態となる。【選択図】図１２
2015217780.tif 000002
【特許請求の範囲】
【請求項１】
乗物用テーブルであって、
物載せとなるテーブル本体と、
該テーブル本体をベースに対して動かせる状態に連結するテーブル移動装置と、を有し、
前記テーブル移動装置は、前記テーブル本体を前記ベースに連結された支持アームに対して、所定の退避角度まで起こし上げた退避位置と、物載せとして使用可能な水平角度まで落とし込んだ使用位置と、の間で起倒回転させられる状態に連結すると共に、前記テーブル本体と前記支持アームとの間に前記テーブル本体の起倒回転する動きに追従して動く従動部材を有した構成となっており、
前記従動部材は、前記テーブル本体又は前記支持アームのうちの一方に回転可能に連結され、他方にスライド可能に連結された状態として、前記テーブル本体が起倒回転する動きによって前記一方に対して回転しながら前記他方に対してスライドし、前記テーブル本体が前記使用位置に到達することにより前記他方に形成された引掛かり部に引掛けられて前記テーブル本体の前記退避位置に向けての回転移動を前記従動部材の解除可能な支えによって規制した状態となる構成とされていることを特徴とする乗物用テーブル。
【請求項２】
請求項１に記載の乗物用テーブルであって、
前記従動部材は、前記テーブル本体に回転可能に連結され、前記支持アームにスライド可能に連結された状態として、前記支持アームに形成された下側ガイドと上側ガイドとの間のガイド形状に沿ってスライドし、前記上側ガイドに形成された前記引掛かり部に引掛けられることで戻り方向のスライドが規制されるようになっており、
前記支持アームの前記上側ガイドは、前記下側ガイドと前記テーブル本体とを繋ぐ部材としてこれらに回転可能に連結されており、前記テーブル本体に前記使用位置から起こし上げられる力がかけられることにより前記下側ガイドとの連結点まわりに引き上げられて前記引掛かり部による前記従動部材の戻り方向のスライド規制状態を解除する構成となっていることを特徴とする乗物用テーブル。
【請求項３】
請求項１又は請求項２に記載の乗物用テーブルであって、
前記支持アームが前記テーブル本体の回転する半径方向の中間部に連結されており、前記従動部材が前記テーブル本体の前記支持アームとの連結部より半径方向の内側の領域部と前記支持アームとの間に連結されていることを特徴とする乗物用テーブル。
【発明の詳細な説明】
【技術分野】
【０００１】
本発明は、乗物用テーブルに関する。詳しくは、乗物用シートの着座者に供される乗物用テーブルに関する。
【背景技術】
【０００２】
従来、乗物用シートにおいて、物載せとなるテーブルが展開・収納可能に設けられた技術が知られている（特許文献１）。上記テーブルは、乗物用シートの側部のアームレストに対して回転可能に連結されており、着座者の前部に展開された使用位置と、同使用位置から横向きに跳ね上げてアームレストの外側面に重なる位置まで落とし込まれた収納位置と、の間で展開・収納できるようになっている。
【先行技術文献】
【特許文献】
【０００３】
【特許文献１】特開平９−７０３３４号公報
【発明の概要】
【発明が解決しようとする課題】
【０００４】
上記従来技術では、テーブルが使用位置に落とし込まれた状態で高さ方向にバタつける構成となっているため、使用性が悪い。本発明は、上述した問題を解決するものとして創案されたものであって、本発明が解決しようとする課題は、水平姿勢に落とし込まれて使用されるテーブルの使用状態を安定させられるようにすることにある。
【課題を解決するための手段】
【０００５】
上記課題を解決するために、本発明の乗物用テーブルは次の手段をとる。
【０００６】
第１の発明は、乗物用テーブルであって、物載せとなるテーブル本体と、テーブル本体をベースに対して動かせる状態に連結するテーブル移動装置と、を有する。テーブル移動装置は、テーブル本体をベースに連結された支持アームに対して、所定の退避角度まで起こし上げた退避位置と、物載せとして使用可能な水平角度まで落とし込んだ使用位置と、の間で起倒回転させられる状態に連結すると共に、テーブル本体と支持アームとの間にテーブル本体の起倒回転する動きに追従して動く従動部材を有した構成となっている。従動部材は、テーブル本体又は支持アームのうちの一方に回転可能に連結され、他方にスライド可能に連結された状態として、テーブル本体が起倒回転する動きによって一方に対して回転しながら他方に対してスライドし、テーブル本体が使用位置に到達することにより他方に形成された引掛かり部に引掛けられてテーブル本体の退避位置に向けての回転移動を従動部材の解除可能な支（つか）えによって規制した状態となる構成とされている。
【０００７】
この第１の発明によれば、テーブル本体を使用位置に落とし込む動きによって、従動部材が引掛かり部に引掛けられてテーブル本体の退避位置に向けての回転移動を解除可能に規制した状態となる。したがって、テーブル本体を使用位置に落とし込んだ状態で高さ方向にバタつかせることなく安定して保持することができる。
【０００８】
第２の発明は、上述した第１の発明において、次の構成とされているものである。すなわち、従動部材は、テーブル本体に回転可能に連結され、支持アームにスライド可能に連結された状態として、支持アームに形成された下側ガイドと上側ガイドとの間のガイド形状に沿ってスライドし、上側ガイドに形成された引掛かり部に引掛けられることで戻り方向のスライドが規制されるようになっている。支持アームの上側ガイドは、下側ガイドとテーブル本体とを繋ぐ部材としてこれらに回転可能に連結されており、テーブル本体に使用位置から起こし上げられる力がかけられることにより下側ガイドとの連結点まわりに起こし上げられて引掛かり部による従動部材の戻り方向のスライド規制状態を解除する構成となっている。
【０００９】
この第２の発明によれば、テーブル本体の使用位置における支持アームとの連結点まわりのバタつきを従動部材の支（つか）えによって規制することができる構成でありながら、テーブル本体を使用位置から起こし上げる操作によって、従動部材による支（つか）えを簡単に解除することができる構成とすることができる。
【００１０】
第３の発明は、上述した第１又は第２の発明において、次の構成とされているものである。すなわち、支持アームがテーブル本体の回転する半径方向の中間部に連結されており、従動部材がテーブル本体の支持アームとの連結部より半径方向の内側の領域部と支持アームとの間に連結されている。
【００１１】
この第３の発明によれば、従動部材をテーブル本体の下部に出張らせにくい状態に設けることができ、テーブル本体の下部スペースを広く空けられる構成とすることができる。また、テーブル本体が使用位置に展開された状態で、テーブル本体の支持アームとの連結点より半径方向の内側の領域部に押下方向の負荷がかけられても、この力によってテーブル本体が退避位置に向かって跳ね上げられてしまう不測の跳ね上がり回転を起こさせないようにすることができる。
【図面の簡単な説明】
【００１２】
【図１】実施例１のテーブルが使用位置に展開された状態を示す斜視図である。
【図２】同正面図である。
【図３】図２の要部拡大図である。
【図４】テーブルの収納状態を示す斜視図である。
【図５】同正面図である。
【図６】同側面図である。
【図７】テーブルが収納位置から上方側に引き上げられた状態を示す斜視図である。
【図８】同正面図である。
【図９】テーブルが斜めの展開位置まで倒し込まれた状態を示す斜視図である。
【図１０】同正面図である。
【図１１】テーブルが上記斜めの展開位置から使用位置に倒し込まれた状態を示す斜視図である。
【図１２】同正面図である。
【図１３】テーブルが使用位置に展開された状態で中央領域に押下方向の負荷を受けた時の状態を示す正面図である。
【図１４】テーブルが使用位置に展開された状態で端側の領域に押下方向の負荷を受けた時の状態を示す正面図である。
【図１５】テーブルに引き上げ方向の荷重をかけてロックを解除する時の状態を示す正面図である。
【図１６】テーブルのロックが解除されてテーブルを起こし上げていく時の状態を示す正面図である。
【発明を実施するための形態】
【００１３】
以下に、本発明を実施するための形態について、図面を用いて説明する。
【実施例１】
【００１４】
始めに、実施例１のテーブル１０の構成について、図１〜図１６を用いて説明する。本実施例のテーブル１０は、図１〜図６に示すように、自動車のシート１に展開・収納可能に備えられた構成となっている。ここで、上記シート１は、着座者の背凭れとなるシートバック２と、着座部となるシートクッション３と、を有し、シートクッション３の左右両側部に上方側に立壁上に延びる支持台４を備えた構成となっている。上記各支持台４は、その上面部がアームレスト５となっており、着座者が肘掛けとして利用することができるようになっている。
【００１５】
上述したテーブル１０は、物載せとなるテーブル本体１１と、テーブル本体１１を上述したシート１の左側部に設けられた支持台４に対して動かせる状態に連結するテーブル移動装置１０Ｍと、を備えた構成となっている。ここで、上記シート１の左側部に設けられた支持台４が本発明の「ベース」に相当する。具体的には、上述したテーブル移動装置１０Ｍは、テーブル本体１１を、支持台４の内部に収納した収納位置（図４〜図６に示す位置）と、着座者の前部に水平姿勢の状態に展開させた使用位置（図１〜図３に示す位置）と、の間で移動させることができるようになっている。ここで、上述したテーブル本体１１を収納するシート１の左側部に設けられた支持台４の上面部のアームレスト５は、テーブル本体１１の展開収納時に外側に開けられて支持台４の内部空間を上方側に開口させた状態とできるように、支持台４の上面部に開閉可能にヒンジ連結された状態となっている。
【００１６】
上述したテーブル移動装置１０Ｍは、図１〜図３に示すように、テーブル本体１１を支持台４に対して支持する支持アーム１２と、支持アーム１２を支持台４に対して高さ方向にスライドさせられる状態に連結するスライダ１３と、テーブル本体１１を支持アーム１２に対して起倒回転させる動きに追従して動く従動部材１４と、を有する。上述したスライダ１３は、図４〜図６及び図７〜図８に示すように、支持台４の内部に設けられたガイドレール４Ａに対して高さ方向にのみ移動可能となるように組み付けられた状態とされている。
【００１７】
具体的には、上述したスライダ１３は、その前後に立板状に張り出す各嵌合部１３Ａが、支持台４内部のスライダ１３の前後位置に設けられた高さ方向に延びる各ガイドレール４Ａのレール溝４Ａ１内にそれぞれ嵌め込まれていることにより、各レール溝４Ａ１の形状に沿って高さ方向にのみ移動可能となるようにガイドされて組み付けられた状態とされている。上記スライダ１３は、図７〜図８に示すように、上述した各レール溝４Ａ１内をスライドする各嵌合部１３Ａが、各レール溝４Ａ１の上端面に当たることで、その上方側へのスライドが係止されるようになっている。
【００１８】
支持アーム１２は、テーブル本体１１より前後方向の板幅の狭い平板状の部材によって構成されており、その下端部が上述したスライダ１３の上部に対して、シート前後方向に軸方向を向ける回転軸１２Ｂ１により回転可能に連結された状態とされている。これにより、支持アーム１２は、図４〜図６及び図７〜図８に示すように、上述したスライダ１３上に対して、真っ直ぐ上方側に起立して、支持台４に対して高さ方向に出し入れ可能な状態となったり、図９〜図１０に示すように、回転軸１２Ｂ１を中心にシート内側に倒されて支持台４からシート内側に張り出した状態となったりすることができる構成とされている。
【００１９】
上述した支持アーム１２は、詳しくは、図７〜図８に示すように、上述したスライダ１３が支持台４の内部において上方側への移動が係止される位置まで移動されることにより、図９〜図１０に示すように、支持台４のシート内側部に形成された開口部４Ｂからシート内側に張り出す形で倒し込むことができるようになっている。上記支持アーム１２は、スライダ１３が上記より低い位置までしか引き上げられていない状態では、上記のような倒し込みを行おうとしても、支持台４の内部側壁４Ｃに当たってしまい、倒し込みが行えないようになっている。
【００２０】
上記支持アーム１２は、上記図９〜図１０に示した状態まで倒し込まれることにより、その根元側となる下端部のシート内側面部に突出形成されたストッパ片１２Ｂ４が支持台４の内部側壁４Ｃの上面部に形成されたストッパ面４Ｃ１に当たり、その傾倒が係止されるようになっている。上述したストッパ片１２Ｂ４は、上述した支持台４の内部側壁４Ｃの上面部に形成されたストッパ面４Ｃ１に対して、高さ方向に真っ直ぐに面を当接させるようになっている。上記面当接によって、上述した支持アーム１２に連結されたスライダ１３の下方側への移動が係止された状態に留められると共に、テーブル本体１１から支持アーム１２にかけられる負荷が受け止められるようになっている。
【００２１】
テーブル本体１１は、図１〜図３に示すように、平板状の部材によって構成されており、その裏面側の中間部に、上述した支持アーム１２の上端部がシート前後方向に軸方向を向ける回転軸１２Ａ１によって回転可能に連結された状態とされている。これにより、テーブル本体１１は、上述した支持アーム１２に対して回転軸１２Ａ１を中心に首振り運動することができる状態とされている。具体的には、上述したテーブル本体１１は、図９〜図１０に示すように、上述した支持アーム１２が支持台４の内部から引き出されてシート内側に斜めに倒し込まれた状態において、支持アーム１２の上に形状を重ねた斜めの退避位置と、図１１〜図１２に示すように、上記退避位置から下方側に水平角度まで落とし込まれた使用位置と、の間で支持アーム１２に対して首振り運動により起倒回転させられるようになっている。
【００２２】
上述したテーブル本体１１は、図９〜図１０に示すように、上述した支持アーム１２の上に形状を重ねた退避位置の状態で、図７〜図８に示すように、支持アーム１２と共にスライダ１３の上部に真っ直ぐ上方側に起立した状態に畳まれたり、図４〜図６に示すように、支持アーム１２と共に支持台４の内部に落とし込まれて収納されたりするようになっている。また、上記テーブル本体１１は、上記支持台４の内部に収納された状態から、アームレスト５を外側に開いて、その内部に露呈するテーブル本体１１を上方側へ引き上げることにより、図７〜図８に示すように、支持アーム１２と共にスライダ１３を上方側へスライドさせながら支持台４の上部に引き出される。そして、テーブル本体１１は、上記支持台４の上部に引き出された後に、支持アーム１２と共にスライダ１３に対してシート内側に倒し込むように回転させることにより、図９〜図１０に示すように、支持アーム１２と共にシート内側に斜め上がりに傾斜した姿勢状態に展開される。
【００２３】
そして、上記テーブル本体１１は、上記斜めの角度に展開されることにより、自重によって支持アーム１２との回転軸１２Ａ１を中心に水平角度まで落とし込まれて係止された状態となる（図１１〜図１２）。ここで、上記テーブル本体１１と支持アーム１２とを連結する回転軸１２Ａ１は、テーブル本体１１の横幅方向（回転半径方向）の中央部よりシート外側寄りの位置に設定されている。このように設定されていることにより、テーブル本体１１は、上記支持アーム１２と共に図９〜図１０に示す斜めの角度まで展開されることにより、自重によって自然と水平姿勢の使用位置まで落とし込まれるようになっている。また、上記設定により、テーブル本体１１は、上記水平姿勢の使用位置に落とし込まれた状態においても、その自重作用により、退避位置へ跳ね上げられにくい状態に保たれやすい構成とされている。
【００２４】
また、上記テーブル本体１１は、上記水平姿勢の使用位置に落とし込まれることにより、従動部材１４がこの動きに追従して支持アーム１２に引掛けられた状態となり、使用位置から退避位置に向けての跳ね上がり移動が起こりにくい状態に保持されるようになっている。具体的には、上記従動部材１４は、図９〜図１２に示すように、支持アーム１２の前側部と後側部とに位置する前後一対のリンク部材によって構成されている。上記従動部材１４は、上記一対のリンク部材の各上端部が、テーブル本体１１の横幅方向（回転半径方向）のシート外側の端部の裏面部に対して、シート前後方向に軸方向を向ける回転軸１４Ａにより回転可能に連結された状態とされている。
【００２５】
また、従動部材１４は、上記一対のリンク部材の各下端部が、支持アーム１２に前後方向に貫通する形に形成されたリンク長方向（横幅方向）に延びる長孔形状のガイド孔１２Ｃに対して、シート前後方向に軸方向を向ける回転軸１４Ｂにより回転可能に連結された状態とされている。これにより、従動部材１４は、テーブル本体１１が支持アーム１２に対して図９〜図１０で前述した退避位置と図１１〜図１２で前述した使用位置との間で起倒回転する動きに伴って、テーブル本体１１に対して回転軸１４Ａのまわりに回転しながら、支持アーム１２に対して回転軸１４Ｂをガイド孔１２Ｃの形状に沿ってスライドさせる態様で移動するようになっている。
【００２６】
具体的には、上記従動部材１４は、図９〜図１０に示したテーブル本体１１が支持アーム１２に形状を重ねた退避位置の状態にある時には、テーブル本体１１と面一状に支持アーム１２に対して倒伏した姿勢状態とされるようになっている。そして、上記従動部材１４は、図１１〜図１２に示すようにテーブル本体１１が水平姿勢の使用位置に落とし込まれる動きに伴って、支持アーム１２に対する姿勢を起立させていくようになっている。
【００２７】
そして、上記従動部材１４は、上記テーブル本体１１が水平姿勢の使用位置に落とし込まれる移動によって、ガイド孔１２Ｃ内をスライドする回転軸１４Ｂがガイド孔１２Ｃの端部（規制部１２Ｂ３）に到達して、テーブル本体１１のそれ以上の落とし込み方向の移動を規制した状態となる。更に、上記従動部材１４は、上記ガイド孔１２Ｃ内をスライドする回転軸１４Ｂが、ガイド孔１２Ｃの端部（規制部１２Ｂ３）に到達すると同時に、ガイド孔１２Ｃ内に張り出す張出し部１２Ａ４を弾性的に押し退けながら通過して、張出し部１２Ａ４により戻り方向へのスライドが規制された状態とされるようになっている。これにより、従動部材１４は、上記張出し部１２Ａ４による規制力によって、テーブル本体１１を水平姿勢の使用位置に落とし込んだ状態からの跳ね上げ方向の移動を規制した状態として保持するようになっている。ここで、上記張出し部１２Ａ４が本発明の「引掛かり部」に相当する。
【００２８】
ここで、上記張出し部１２Ａ４は、ガイド孔１２Ｃ内をスライドする回転軸１４Ｂがテーブル本体１１を水平姿勢に落とし込む動きによって図示右側から左側へ通される時には、その回転軸１４Ｂと当たる側の立ち上がり面が緩やかに傾斜した形状となっていることにより、回転軸１４Ｂの移動を比較的スムーズに逃がせるようになっている。しかし、張出し部１２Ａ４は、上記回転軸１４Ｂがテーブル本体１１を水平姿勢の使用位置に落とし込んだ状態から跳ね上げる動きによって図示左側から右側へ押し付けられる時には、その回転軸１４Ｂと当たる側の立ち上がり面が垂直に起立した形状となっていることにより、回転軸１４Ｂの移動を強く規制した状態に保つことができるようになっている。
【００２９】
上記従動部材１４の支（つか）えにより、テーブル本体１１は、上記水平姿勢の使用位置に展開された状態では、その上面に押下方向の負荷がかけられても、水平姿勢の状態に安定して保持されるようになっている。詳しくは、テーブル本体１１は、図１３に示すように、その支持アーム１２と連結された回転軸１２Ａ１より図示左側の広い横幅領域１１Ａに押下方向の荷重Ｐ１がかけられても、上述した従動部材１４の下端側の回転軸１４Ｂが支持アーム１２のガイド孔１２Ｃの端部（規制部１２Ｂ３）に当たって支（つか）えることにより、水平姿勢から更に押し下げられる方向の移動が規制されるようになっている。
【００３０】
また、テーブル本体１１は、図１４に示すように、その支持アーム１２と連結された回転軸１２Ａ１より図示右側の狭い横幅領域１１Ｂに押下方向の荷重Ｐ２がかけられても、上述した従動部材１４の下端側の回転軸１４Ｂが支持アーム１２のガイド孔１２Ｃの張出し部１２Ａ４に当たって支（つか）えることにより、その支持アーム１２と連結された回転軸１２Ａ１まわりに水平姿勢から跳ね上げられる方向の移動も規制されるようになっている。
【００３１】
このように、テーブル本体１１は、上述した従動部材１４の支（つか）えによって、その上面上のどの領域に押下方向の荷重（Ｐ１，Ｐ２）がかけられても、水平姿勢の使用位置から押し下げられたり跳ね上げられたりすることがないように支えられる（ロックされる）ようになっている。上記従動部材１４によるテーブル本体１１の使用位置でのロック状態は、図１５に示すように、使用者がテーブル本体１１の支持アーム１２と連結された回転軸１２Ａ１より図示左側の領域部を上方側に持ち上げるように操作することにより簡単に解除することができる。
【００３２】
具体的には、上述したテーブル本体１１の上記図示左側の領域部を上方側に持ち上げることにより、テーブル本体１１が支持アーム１２の中間部に設定された回転軸１２Ａ２を中心に、支持アーム１２の上側ガイド１２Ａと共に図示時計回り方向に回転し、張出し部１２Ａ４による従動部材１４の下端側の回転軸１４Ｂの移動規制状態が外される。そしてこれにより、上記従動部材１４の下端側の回転軸１４Ｂが、上記テーブル本体１１の持ち上げられる力によって、支持アーム１２のガイド孔１２Ｃ内を図示右側に押し戻されていくように操作され、図１６に示すように、テーブル本体１１が支持アーム１２と形状を重ねる退避位置まで起こし上げられるようになっている。
【００３３】
上記構成について詳しく説明すると、図３に示すように、支持アーム１２は、互いに中折れ可能にヒンジ連結された上側ガイド１２Ａと下側ガイド１２Ｂとによって構成されている。上記上側ガイド１２Ａと下側ガイド１２Ｂとは、互いにシート前後方向に軸方向を向ける回転軸１２Ａ２により回転可能に連結された状態とされている。上記下側ガイド１２Ｂは、支持アーム１２におけるスライダ１３と連結される領域片と、ガイド孔１２Ｃの下側片と、を形作った形状となっている。また、上側ガイド１２Ａは、支持アーム１２におけるテーブル本体１１と連結される領域片と、ガイド孔１２Ｃの上側片と、を形作った形状となっている。上記上側ガイド１２Ａと下側ガイド１２Ｂとは、上側ガイド１２Ａの上側ガイド面１２Ａ３と下側ガイド１２Ｂの下側ガイド面１２Ｂ２との間に、上述したガイド孔１２Ｃを形成した状態となっている。
【００３４】
上記上側ガイド面１２Ａ３の図示左端寄りの領域部には、上述した張出し部１２Ａ４が下方側に突出する形で形成されている。また、下側ガイド面１２Ｂ２の図示左端側の領域部には、上述したガイド孔１２Ｃの端部を形成する規制部１２Ｂ３が上方側に突出する形で形成されている。上記上側ガイド１２Ａと下側ガイド１２Ｂとは、ガイド孔１２Ｃを図示右側に越えた下側ガイド１２Ｂの中間部において、上側ガイド１２Ａの下側の端部が上述した回転軸１２Ａ２によって回転可能にヒンジ連結された状態とされている。上記上側ガイド１２Ａは、下側ガイド１２Ｂに形成された規制部１２Ｂ３によって、規制部１２Ｂ３と当たる位置から下方側には回転することができないようになっており、回転軸１２Ａ２を中心に図示上方側にのみ中折れ回転することができる構成となっている。
【００３５】
上記回転軸１２Ａ２により連結された上側ガイド１２Ａと下側ガイド１２Ｂとの間には、バネ１２Ｄが掛着されており、このバネ１２Ｄの附勢力によって上側ガイド１２Ａが常時、下側ガイド１２Ｂの規制部１２Ｂ３に当たった状態に保持されるようになっている。上記構成とされた支持アーム１２は、図１１〜図１２に示すようにテーブル本体１１が斜め姿勢の退避位置から水平姿勢の使用位置に落とし込まれる際や、テーブル本体１１が水平姿勢の使用位置に展開された状態で、図１３〜図１４に示すようにその上面に押下方向の荷重（Ｐ１，Ｐ２）を受ける際には、上側ガイド１２Ａが下側ガイド１２Ｂの規制部１２Ｂ３に押し付けられる方向の力を受けるため、上側ガイド１２Ａと下側ガイド１２Ｂとがバネ１２Ｄの附勢力も相俟って互いに一直線状に繋がれた状態に保たれるようになっている。
【００３６】
しかし、支持アーム１２は、図１５に示すように、テーブル本体１１が使用者によって上方側に持ち上げられるように操作されることにより、従動部材１４の下端側の回転軸１４Ｂが下側ガイド１２Ｂの下側ガイド面１２Ｂ２に下方側への押し付け力を作用させるため、下側ガイド１２Ｂを残して上側ガイド１２Ａだけがその回転軸１２Ａ１によって繋がれたテーブル本体１１と共に下側ガイド１２Ｂとの連結軸（回転軸１２Ａ２）を中心にバネ１２Ｄの附勢力に抗して上方側に持ち上げられる。以上の動きによって、テーブル本体１１を持ち上げるだけの簡単な操作によって、従動部材１４によるテーブル本体１１の使用位置でのロック状態を解除して、テーブル本体１１を支持アーム１２と形状を重ねた斜めの退避位置に移動させることができる。
【００３７】
そして、上記テーブル本体１１を図９〜図１０に示す退避位置へ移動させた後、更にテーブル本体１１を図７〜図８に示すようにシート外側へ押し退けるように上方側へ持ち上げて支持アーム１２と共に支持台４の上部に起立させた状態とし、そこからスライダ１３と共に下方側に落とし込むことにより、図４〜図６に示すようにテーブル本体１１を支持台４の内部に収納した状態とすることができる。
【００３８】
以上をまとめると、本実施例のテーブル１０は次のような構成となっている。すなわち、本実施例のテーブル１０は、物載せとなるテーブル本体１１と、テーブル本体１１をベース（支持台４）に対して動かせる状態に連結するテーブル移動装置１０Ｍと、を有する。テーブル移動装置１０Ｍは、テーブル本体１１をベース（支持台４）に連結された支持アーム１２に対して、所定の退避角度まで起こし上げた退避位置と、物載せとして使用可能な水平角度まで落とし込んだ使用位置と、の間で起倒回転させられる状態に連結すると共に、テーブル本体１１と支持アーム１２との間にテーブル本体１１の起倒回転する動きに追従して動く従動部材１４を有した構成となっている。
【００３９】
従動部材１４は、テーブル本体１１に回転可能に連結され、支持アーム１２にスライド可能に連結された状態として、テーブル本体１１が起倒回転する動きによってテーブル本体１１に対して回転しながら支持アーム１２に対してスライドし、テーブル本体１１が使用位置に到達することにより支持アーム１２に形成された引掛かり部（張出し部１２Ａ４）に引掛けられてテーブル本体１１の退避位置に向けての回転移動を従動部材１４の解除可能な支（つか）えによって規制した状態となる構成とされている。
【００４０】
このような構成となっていることにより、テーブル本体１１を使用位置に落とし込む動きによって、従動部材１４が引掛かり部（張出し部１２Ａ４）に引掛けられてテーブル本体１１の退避位置に向けての回転移動を解除可能に規制した状態となる。したがって、テーブル本体１１を使用位置に落とし込んだ状態で高さ方向にバタつかせることなく安定して保持することができる。
【００４１】
上記従動部材１４は、テーブル本体１１に回転可能に連結され、支持アーム１２にスライド可能に連結された状態として、支持アーム１２に形成された下側ガイド１２Ｂと上側ガイド１２Ａとの間のガイド形状に沿ってスライドし、上側ガイド１２Ａに形成された引掛かり部（張出し部１２Ａ４）に引掛けられることで戻り方向のスライドが規制されるようになっている。支持アーム１２の上側ガイド１２Ａは、下側ガイド１２Ｂとテーブル本体１１とを繋ぐ部材としてこれらに回転可能に連結されており、テーブル本体１１に使用位置から起こし上げられる力がかけられることにより下側ガイド１２Ｂとの連結点（回転軸１２Ａ２）まわりに起こし上げられて引掛かり部（張出し部１２Ａ４）による従動部材１４の戻り方向のスライド規制状態を解除する構成となっている。
【００４２】
このような構成となっていることにより、テーブル本体１１の使用位置における支持アーム１２との連結点（回転軸１２Ａ１）まわりのバタつきを従動部材１４の支（つか）えによって規制することができる構成でありながら、テーブル本体１１を使用位置から起こし上げる操作によって、従動部材１４による支（つか）えを簡単に解除することができる構成とすることができる。
【００４３】
また、支持アーム１２がテーブル本体１１の回転する半径方向の中間部に連結されており、従動部材１４がテーブル本体１１の支持アーム１２との連結部（回転軸１２Ａ１）より半径方向の内側の領域部と支持アーム１２との間に連結されている。
【００４４】
このような構成となっていることにより、従動部材１４をテーブル本体１１の下部に出張らせにくい状態に設けることができ、テーブル本体１１の下部スペースを広く空けられる構成とすることができる。また、テーブル本体１１が使用位置に展開された状態で、テーブル本体１１の支持アーム１２との連結点（回転軸１２Ａ１）より半径方向の内側の領域部（横幅領域１１Ｂ）に押下方向の負荷がかけられても、この力によってテーブル本体１１が退避位置に向かって跳ね上げられてしまう不測の跳ね上がり回転を起こさせないようにすることができる。
【００４５】
以上、本発明の実施形態を１つの実施例を用いて説明したが、本発明は上記実施例のほか各種の形態で実施することができるものである。
【００４６】
例えば、従動部材は、支持アームに回転可能に連結され、テーブル本体にスライド可能に連結された構成であってもよい。すなわち、従動部材は、テーブル本体又は支持アームのうちの一方に回転可能に連結され、他方にスライド可能に連結された状態として、テーブル本体が起倒回転する動きによって上記一方に対して回転しながら他方に対してスライドし、テーブル本体が使用位置に到達することにより他方に形成された引掛かり部に引掛けられてテーブル本体の退避位置に向けての回転移動を従動部材の解除可能な支えによって規制した状態となる構成とされているものであればよい。また、テーブル本体の退避位置は、斜めの角度位置でなくてもよく、垂直な角度位置やその他の角度位置であってもよい。
【００４７】
また、引掛かり部は、部分的な突起ではなく凹みであってもよい。また、テーブル本体の展開・収納の形態は、上記実施例１で示した形態に限定されず、種々の形態を適用可能である。例えば、テーブル本体をベースに対してスライドではなく回転により展開・収納するものや、高さ方向にではなく水平方向に展開・収納するものなどが挙げられる。また、テーブル移動装置は、テーブル本体を必ずしもベースの内部に収納するものでなくてもよく、テーブル本体をベースに対して動かせる状態に連結するものとなっていればよい。また、従動部材の解除操作は、従動部材を直接把持しての解除操作によって行われるものであっても良い。
【符号の説明】
【００４８】
１      シート
２      シートバック
３      シートクッション
４      支持台（ベース）
４Ａ    ガイドレール
４Ａ１  レール溝
４Ｂ    開口部
４Ｃ    内部側壁
４Ｃ１  ストッパ面
５      アームレスト
１０    テーブル
１０Ｍ  テーブル移動装置
１１    テーブル本体
１１Ａ  横幅領域
１１Ｂ  横幅領域
１２    支持アーム
１２Ａ  上側ガイド
１２Ａ１  回転軸
１２Ａ２  回転軸
１２Ａ３  上側ガイド面
１２Ａ４  張出し部（引掛かり部）
１２Ｂ  下側ガイド
１２Ｂ１  回転軸
１２Ｂ２  下側ガイド面
１２Ｂ３  規制部
１２Ｂ４  ストッパ片
１２Ｃ  ガイド孔
１２Ｄ  バネ
１３    スライダ
１３Ａ  嵌合部
１４    従動部材
１４Ａ  回転軸
１４Ｂ  回転軸
Ｐ１，Ｐ２  荷重
【図１】
2015217780.tif 000003
【図２】
2015217780.tif 000004
【図３】
2015217780.tif 000005
【図４】
2015217780.tif 000006
【図５】
2015217780.tif 000007
【図６】
2015217780.tif 000008
【図７】
2015217780.tif 000009
【図８】
2015217780.tif 000010
【図９】
2015217780.tif 000011
【図１０】
2015217780.tif 000012
【図１１】
2015217780.tif 000013
【図１２】
2015217780.tif 000014
【図１３】
2015217780.tif 000015
【図１４】
2015217780.tif 000016
【図１５】
2015217780.tif 000017
【図１６】
2015217780.tif 000018